(57)【要約】【課題】非接触通信を行う情報通信装置において、通信機能の設定にかかるユーザの入力操作負担の軽減と、消費電力の低減を図ることを課題とする。【解決手段】外部から供給される電力を受電する受電部と、前記電力の受電の有無を監視する受電監視部と、非接触通信が可能な非接触ＩＣタグに対して、情報の読み出しおよび書込みをする非接触通信部と、前記非接触ＩＣタグに予め記憶された設定情報を受信する設定情報受信部と、制御部とを備え、前記受電監視部が、前記電力の受電が開始されたことを確認した後、前記非接触通信部が前記非接触ＩＣタグとの非接触通信を起動させて、前記非接触通信によって、前記非接触ＩＣタグから送信されてきた設定情報を受信し、前記制御部が、前記受信された設定情報に基づいて、所定の通信機能を利用可能とする設定を行う。【選択図】図３
2016059162.tif 000002
【特許請求の範囲】
【請求項１】
外部から供給される電力を受電する受電部と、
前記電力の受電の有無を監視する受電監視部と、
非接触通信が可能な非接触ＩＣタグに対して、情報の読み出しおよび書込みをする非接触通信部と、
前記非接触ＩＣタグに予め記憶された設定情報を受信する設定情報受信部と、
制御部とを備え、
前記受電監視部が、前記電力の受電が開始されたことを確認した後、
前記非接触通信部が前記非接触ＩＣタグとの非接触通信を起動させて、前記非接触通信によって、前記非接触ＩＣタグから送信されてきた設定情報を受信し、
前記制御部が、前記受信された設定情報に基づいて、所定の通信機能を利用可能とする設定を行うことを特徴とする情報通信装置。
【請求項２】
前記非接触通信は、前記非接触ＩＣタグと情報通信装置とが所定の距離以内に配置されたときに、情報の送受信が可能となる近距離無線通信であることを特徴とする請求項１に記載の情報通信装置。
【請求項３】
前記受電された電力によって充電される充電池を備え、
前記充電池の充電のための電力を受電したときに、前記非接触通信部によって前記非接触通信を起動させることを特徴とする請求項１または２に記載の情報通信装置。
【請求項４】
前記非接触ＩＣタグは、充電のための電力を供給可能なクレードルに形成され、
前記情報通信装置がクレードルに載置された場合に、前記受電部が、前記クレードルから供給される電力を受電することを特徴とする請求項３に記載の情報通信装置。
【請求項５】
前記受電部は、前記クレードルから供給される電力を、接触式給電により受電する受電端子および非接触式給電により受電するコイルのうち少なくともいずれか一方を備えたことを特徴とする請求項４に記載の情報通信装置。
【請求項６】
前記設定情報は、少なくとも無線ＬＡＮとブルートゥースのどちらかを含む無線通信を用いた通信機能を利用可能とするための設定情報であることを特徴とする請求項１から５のいずれかに記載の情報通信装置。
【請求項７】
設定情報を予め記憶した記憶部と、
前記記憶部に記憶された設定情報を、前記非接触ＩＣタグに送信する設定情報送信部とをさらに備え、
前記受電監視部が、前記電力の受電が開始されたことを確認した後、前記非接触通信部が前記非接触ＩＣタグとの非接触通信を起動させて、前記非接触通信によって、前記記憶部に記憶された設定情報を前記非接触ＩＣタグに送信することを特徴とする請求項１に記載の情報通信装置。
【発明の詳細な説明】
【技術分野】
【０００１】
この発明は、情報通信装置に関し、特に、充電機能を有し、非接触で近距離の無線通信が可能な情報通信装置に関する。
【背景技術】
【０００２】
今日、携帯電話やスマートフォンなど、無線通信機能を有する携帯端末が利用されている。
このような携帯端末は、主として、充電池を備えているが、電池残量が少なくなってきた場合に、携帯端末をクレードルと呼ぶ電力供給が可能な設置台に載置したり、携帯端末に電源アダプタを接続して、充電池を充電する必要がある。
また、通信機能を備えたクレードルも利用されており、携帯端末をクレードルに載置することにより、クレードルを介して、パソコンや他の通信機器とデータ通信を行うことができる。
【０００３】
たとえば、特許文献１には、電子機器を載置することによって電子機器の二次電池を充電する機能と、その電子機器と近距離無線通信（ＮＦＣ）をする機能と、インターネット等の通信回線を介して、電子機器のソフトウェア等の更新データを記憶した情報管理装置と通信する機能とを備え、二次電池の充電中に、情報管理装置からダウンロードした更新データを、近距離無線通信（ＮＦＣ）を利用して電子機器に送信する充電装置が提案されている。
【０００４】
また、無線ＬＡＮを利用して無線通信を行う携帯端末や、ヘッドセットやプリンタとブルートゥース等の近距離通信を行う携帯端末が利用されているが、いずれかの通信機能を利用可能な状態とするためには、携帯端末と通信を行う他の電子機器との間で、予めその通信設定をする必要がある。
この通信設定をするためには、携帯端末側で、通信の設定情報をユーザが直接入力するか、あるいは、携帯端末と通信相手の電子機器とを近接させて、近距離無線通信（ＮＦＣ）によって、通信設定情報を送受信することが行われている。
【先行技術文献】
【特許文献】
【０００５】
【特許文献１】特開２０１３−１７２４６５号公報
【発明の概要】
【発明が解決しようとする課題】
【０００６】
たとえば、携帯端末とヘッドセットとを、ブルートゥースによる無線通信によって接続させる場合、いわゆるペアリング処理が必要であるが、携帯端末側で、通信相手のヘッドセットに登録された情報（ＰＩＮコードなど）を、ユーザが手動入力していた。
あるいは、近距離無線通信（ＮＦＣ）を利用してペアリングすることもできるが、ユーザは、携帯端末とヘッドセットとを近接させ、それぞれＮＦＣ機能が有効となるモードに設定するための入力操作をする必要があった。
上記のように、２つの装置間の通信ができるようにするためにユーザが行う入力操作は、手間と時間がかかり、ユーザの入力操作にかかる負担が大きかった。
【０００７】
また、ＮＦＣを利用したペアリングを行う場合、携帯端末とヘッドセットのそれぞれにおいて、常時ＮＦＣ機能を有効にしておくことにより入力操作を簡易化することもできるが、ＮＦＣ機能を有効にするためには電力を消費することになり、ヘッドセットを使用したいときには充電池が消費してしまって通信ができないという状態になりかねない。したがって、常時ＮＦＣ機能を有効にすることは、低消費電力化のためには好ましくない。
そこで、２つの通信装置間での通信を可能にするための設定情報の設定を、より簡易化して、ユーザの入力操作負担を軽減させるとともに、消費電力を抑制することが望まれる。
【０００８】
この発明は、以上のような事情を考慮してなされたものであり、ユーザが設定情報の入力などの手間のかかる入力操作をすることなく、日常的に行っている操作をすることによって、通信機能の設定情報の設定が可能な情報通信装置を提供することを課題とする。
【課題を解決するための手段】
【０００９】
この発明は、外部から供給される電力を受電する受電部と、前記電力の受電の有無を監視する受電監視部と、非接触通信が可能な非接触ＩＣタグに対して、情報の読み出しおよび書込みをする非接触通信部と、前記非接触ＩＣタグに予め記憶された設定情報を受信する設定情報受信部と、制御部とを備え、前記受電監視部が、前記電力の受電が開始されたことを確認した後、前記非接触通信部が前記非接触ＩＣタグとの非接触通信を起動させて、前記非接触通信によって、前記非接触ＩＣタグから送信されてきた設定情報を受信し、前記制御部が、前記受信された設定情報に基づいて、所定の通信機能を利用可能とする設定を行うことを特徴とする情報通信装置を提供するものである。
【００１０】
この発明は、前記非接触通信は、前記非接触ＩＣタグと情報通信装置とが所定の距離以内に配置されたときに、情報の送受信が可能となる近距離無線通信であることを特徴とする。
この発明は、前記受電された電力によって充電される充電池を備え、前記充電池の充電のための電力を受電したときに、前記非接触通信部によって前記非接触通信を起動させることを特徴とする。
これによれば、充電池の充電のための電力を受電したときに、非接触通信が起動されるので、非接触通信の可能な期間を限定することにより、情報通信装置の消費電力を低減させることができる。
【００１１】
この発明は、前記非接触ＩＣタグは、充電のための電力を供給可能なクレードルに形成され、前記情報通信装置がクレードルに載置された場合に、前記受電部が、前記クレードルから供給される電力を受電することを特徴とする。
これによれば、ユーザが情報通信装置をクレードルに載置させる操作をした場合、クレードルから情報通信装置に電力が供給され、その電力の受電開始を確認した後に、受信された設定情報に基づいて、通信機能を利用可能とする設定が行われるので、ユーザは上記載置操作以外に、設定情報を設定するための特別な入力操作をする必要はなく、ユーザの入力操作負担を軽減できる。
【００１２】
この発明は、前記受電部は、前記クレードルから供給される電力を、接触式給電により受電する受電端子および非接触式給電により受電するコイルのうち少なくともいずれか一方を備えたことを特徴とする。
この発明は、前記設定情報は、少なくとも無線ＬＡＮとブルートゥースを含む無線通信を用いた通信機能を利用可能とするための設定情報であることを特徴とする。
【００１３】
この発明は、設定情報を予め記憶した記憶部と、前記記憶部に記憶された設定情報を、前記非接触ＩＣタグに送信する設定情報送信部とをさらに備え、前記受電監視部が、前記電力の受電が開始されたことを確認した後、前記非接触通信部が前記非接触ＩＣタグとの非接触通信を起動させて、前記非接触通信によって、前記記憶部に記憶された設定情報を前記非接触ＩＣタグに送信することを特徴とする。
これによれば、電力の受電が開始されたことを確認した後に、非接触通信を起動させて非接触ＩＣタグに設定情報を送信するので、ユーザの入力操作の負担を軽減でき、消費電力の低減を図ることができる。
【発明の効果】
【００１４】
この発明によれば、電力の受電が開始されたことを確認した後に、非接触通信を起動させて非接触ＩＣタグから設定情報を受信して、通信機能を利用可能とする設定が行われるので、その通信機能の設定にかかるユーザの入力操作負担を軽減でき、非接触通信の可能な期間を限定することによって消費電力の低減を図ることができる。
【図面の簡単な説明】
【００１５】
【図１】この発明の情報通信装置の一実施例の構成ブロック図である。
【図２】この発明の情報通信装置とクレードルの使用形態の実施例１の説明図である。
【図３】この発明のＮＦＣを利用した設定情報の読み出しおよび書き込みの概略説明図である。
【図４】この発明の情報通信装置とクレードルの使用形態の実施例２の説明図である。
【図５】この発明の設定情報の一実施例の説明図である。
【図６】この発明の設定情報の読出処理の第１実施例のフローチャートである。
【図７】この発明の設定情報の読出処理の第２実施例のフローチャートである。
【図８】この発明の設定情報の書込処理の一実施例のフローチャートである。
【図９】この発明の設定情報設定後の情報通信の具体的な実施形態（実施例１）の概略説明図である。
【図１０】この発明の設定情報設定後の情報通信の具体的な実施形態（実施例２）の概略説明図である。
【図１１】この発明の設定情報設定後の情報通信の具体的な実施形態（実施例３）の概略説明図である。
【図１２】この発明の設定情報設定後の情報通信の具体的な実施形態（実施例４）の概略説明図である。
【発明を実施するための形態】
【００１６】
以下、図面を使用して本発明の実施の形態を説明する。なお、以下の実施例の記載によって、この発明が限定されるものではない。
＜情報通信装置とクレードルの構成＞
図１に、この発明の情報通信装置と、クレードル（充電台）の一実施例の構成ブロック図を示す。
情報通信装置１は、文字、図形、画像、音声などの種々のコンテンツを作成、編集、表示、取得、送受信等する機能を有する装置であり、たとえば、携帯電話、スマートフォン、タブレット端末、ノートパソコンなどの携帯性を有する通信端末（以下、携帯端末、あるいはＴＥとも称する）に相当する。
携帯性を有する通信端末の場合は、主として、駆動電源として、充電池を有するものとする。ただし、乾電池や、太陽光を受けて発電する発電機構を備えてもよい。
クレードル２は、情報通信装置（ＴＥ）１を載置する台であり、たとえば、ＴＥ１を固定設置する枠部を備え、ＴＥ１を載置したときにＴＥ１の充電池を充電する機能を有する充電台（以下、単に、ＣＲとも称する）に相当する。
【００１７】
後述する図２（ｃ）に示すように、情報通信装置（ＴＥ）１がクレードル（ＣＲ）２に載置された場合に、ＴＥ１の受電部１７が、ＣＲ２から供給される電力（ＤＣ電力６）を受電する。また、ＣＲ２に供給された商用電源（たとえば、AC100V）３から生成されたＤＣ電力６がＴＥ１に与えられると、ＴＥ１の充電池１９が充電される。
また、ＴＥ１において、上記ＤＣ電力６が受電されたことを開始条件として、ＴＥ１とＣＲ２との間で非接触通信（ＮＦＣ）が開始され、ＴＥ１において、所定の通信機能を実行するための設定情報が取得される。
ＴＥ１において、設定情報が取得された後は、ＴＥ１と他の通信端末やクレードルとの間で、その受信された設定情報に基づいて、所定の通信機能を利用可能とする設定が行われる。
ここで、非接触通信とは、２つの装置間が物理的に接続されていない状態で行われる通信であり、２つの装置が所定の距離だけ離れた近接状態で無線によって行われる通信である。たとえば、ブルートゥース、無線LAN、携帯電話などが、非接触の通信方式に相当する。
【００１８】
以下、図１および図２を用いて、ＴＥ１とＣＲ２の各構成ブロックについて説明する。
情報通信装置（ＴＥ）１は、主として、制御部１１、入力部１２、表示部１３、非接触通信部１４、アンテナ部１５、受電部１７、充電池１９、受電監視部２１、設定情報受信部２２、設定情報送信部２３、記憶部２４を備える。
クレードル（ＣＲ）２は、主として、非接触タグＩＣ３１、電源部３７、送電部３８、情報通信部４０を備える。
ただし、クレードル（ＣＲ）２として、ネットワーク接続機能を有さない場合は、情報通信部４０はなくてもよい。
【００１９】
情報通信装置ＴＥ１において、制御部１１は、主として、ＣＰＵ，ＲＯＭ，ＲＡＭ，Ｉ／Ｏコントローラ，タイマー等からなるマイクロコンピュータからなり、ＲＯＭ等に記憶されたプログラムに基づいて、ＣＰＵが、各種ハードウェアを動作させることによって、ＴＥ１の非接触通信機能などを実行する部分である。また、後述するように、受信された設定情報に基づいて、所定の通信機能を利用可能とする設定を行う。
入力部１２は、ユーザが種々の情報や機能選択などを入力する部分であり、キーボード、マウス、タッチパネル、設定スイッチなどに相当する。
表示部１３は、実行中の機能によって生成された画像、文字などの情報を表示する部分であり、ＣＲＴ，ＬＣＤ，ＰＤＰ，有機ＥＬディスプレイなどに相当する。
【００２０】
非接触通信部１４は、上記したような非接触の通信方式によって、他の通信装置と無線通信（送信および受信）を行う部分である。また、以下の実施例では、非接触通信が可能な非接触ＩＣタグ３１に対して、情報の読み出しおよび書き込みをする部分である。
以下の実施例では、この非接触による無線通信を、近距離無線通信（ＮＦＣ）５と称するものとする。近距離無線通信（ＮＦＣ）は、非接触ＩＣタグ３１と、ＴＥ１とが所定の距離以内に配置されたときに、情報の通信が可能となるものである。
アンテナ部１５は、無線通信を行うための電波を送受信する部分であり、主として、コイル１６と、コイルから電波を入出射するための電子回路（ＩＣ）とが用いられる。
非接触通信部１４がデータを送信する場合、コイル１６から、そのデータを含む電波を出射する。
逆に、コイル１６によって電波を受信した場合は、非接触通信部１４が、その電波を高周波電流に変換して、電波に含まれたデータを取り出す。
【００２１】
受電部１７は、外部から供給される電力を受電する部分であり、以下の実施例では、クレードルＣＲ２から供給されるＤＣ電力６を受ける部分である。たとえば、接触式給電により受電する場合は、受電端子１８を備える。
ただし、非接触式給電を利用してもよく、この場合は非接触で受電することが可能なコイルと、コイルに発生する高周波電流を整流してＤＣ電力を出力する電子回路とを備える。
充電池１９は、いわゆる二次電池であり、ＴＥ１を動作させるための駆動電源であり、受電部１７によって受電されたＤＣ電力６によって充電される。この充電池の充電のための電力を受電したときに、上記した非接触通信部１４によって、非接触通信が起動させられる。
充電池１９としては、ニッケルカドミウム電池、ニッケル水素電池、リチウムイオン電池など、現在市販されているあらゆる充電池を用いることができる。
【００２２】
受電監視部２１は、受電部１７に電力が受電されているか否か（受電の有無）を監視する部分である。
たとえば、受電端子１８を介して電力供給を受ける接触式給電の場合は、受電端子１８に所定値以上の直流電圧が印加されているか否かをチェックする。受電監視部２１は、所定値以上の直流電圧が印加された場合は、受電が開始されたと判断し、逆に、直流電圧がなくなった場合は、受電が終了したと判断する。
この発明では、受電監視部２１によって、電力の受電が開始されたことが確認された後に、非接触通信部１４が、アンテナ部１５を利用して、非接触通信（ＮＦＣ）５を起動させる。これにより、クレードルＣＲ２の非接触ＩＣタグ３１との非接触通信（ＮＦＣ）５が可能となるようにする。
また、電力の受電が終了した場合は、非接触通信（ＮＦＣ）５を停止してもよい。受電をしていない場合は、非接触ＩＣタグ３１との非接触通信（ＮＦＣ）５を行わないようにする。
【００２３】
設定情報受信部２２は、非接触ＩＣタグ３１に予め記憶された設定情報を受信する部分であり、受電開始後、ＮＦＣ５によって、クレードルＣＲ２の非接触ＩＣタグ３１から送信されてきた設定情報を受信する部分である。
すなわち、ＴＥ１のコイル１６によって受信した電波を高周波電流に変換し、その高周波電流を解析することにより、デジタルデータとしての設定情報２５を取得し、記憶部２４に記憶させる。
この設定情報受信部２２は、ＴＥ１が、主として、非接触ＩＣタグ３１に格納されていた情報を読み取るリーダとして機能する場合に必要な構成である。
【００２４】
設定情報送信部２３は、記憶部２４に予め記憶された設定情報２５を非接触ＩＣタグ３１に送信する部分であり、受電開始後、ＮＦＣ５によって、クレードルＣＲ２の非接触ＩＣタグ３１に、所定の設定情報２５を送信する部分である。
すなわち、記憶部２４に予め記憶された設定情報２５を読み出し、非接触通信部１４およびアンテナ部１５を介して、ＮＦＣ５により、設定情報２５を含む電波を出射する。
クレードルＣＲ２がこの電波を受信することにより、非接触ＩＣタグ３１に、設定情報２５が書き込まれる。
この設定情報送信部２３は、ＴＥ１が、主として、非接触ＩＣタグ３１に、情報を書き込むライタとして機能する場合に必要な構成である。
【００２５】
したがって、たとえば、ＴＥ１がリーダとしての機能のみを有する場合は、設定情報受信部２２を備える必要があるが、設定情報送信部２３は備えなくてもよい。
また、ＴＥ１をリーダおよびライタとして使用する場合は、設定情報受信部２２と設定情報送信部２３とを備え、ユーザが入力部１２を用いて、リーダあるいはライタの切替設定入力をすることにより、リーダとライタのどちらの機能を使用するかを設定できるようにしてもよい。
【００２６】
上記した受電監視部２１、設定情報受信部２２、設定情報送信部２３は、ハードウェアによって構成することもできるが、ソフトウェア的な機能ブロックであって、主として、ＣＰＵが、ＲＯＭ等に記憶されたプログラムに基づいて、論理回路を動作させることによって、それぞれの機能を実現させることができる。
【００２７】
記憶部２４は、ＴＥ１の機能を実行するのに必要な情報やプログラムを記憶する部分であり、ＲＯＭ，ＲＡＭ，フラッシュメモリなどの半導体記憶素子，ＨＤＤ，ＳＳＤなどの記憶装置が用いられる。
記憶部２４には、上記したような設定情報２５が記憶される。設定情報２５は、たとえば、ＴＥ１と、ヘッドセット、携帯型プリンタ、スキャナおよびその他の通信装置との間で、無線通信を可能とするための情報である。
【００２８】
図５に、設定情報の一実施例の説明図を示す。
ここでは、３つの設定情報（ＳＤ０１〜ＳＤ０３）を示しているが、これに限るものではない。
ＳＤ０１は、ヘッドセットと、ブルートゥースによって無線通信を行うための設定情報であり、たとえば、項目＝「ブルートゥースペアリング」、ブルートゥースアドレス＝「11:22:33:44:55:66」、プロファイル＝「ヘッドセット」、ＰＩＮコード＝「００００」からなる。
ＳＤ０２は、ルータ等のネットワーク接続機器と、無線ＬＡＮによる通信を行うための設定情報であり、たとえば、項目＝「無線ＬＡＮ」、ＳＳＩＤ＝「accesspoint」、暗号化方式＝「ＷＥＰ」、ＫＥＹコード＝「0123456789ABCDEF」からなる。
ＳＤ０３は、ＴＥ１の消費電力の節電のための設定情報であり、たとえば、項目＝「パワーマネージメント」、スリープまでの時間＝「３分」、バックライトＯＦＦ時間＝「１分」からなる。
この他にも、たとえば、携帯電話網の場合は、ＡＰＮ名、ユーザー名、パスワードというような設定情報が利用される。
【００２９】
図１のクレードルＣＲ２は、主として、充電のための電力を供給可能な充電台に相当する。非接触ＩＣタグ３１は、クレードルＣＲ２に形成され、ＮＦＣ５により、ＴＥ１との間で、非接触の情報通信を行う部分であり、主として、記憶部３２と、非接触通信部３４と、アンテナ部３５とから構成される。
ＣＲ２の非接触ＩＣタグ３１は、１つでもよいが、複数個備えてもよい。
また、非接触ＩＣタグ３１は、ＣＲ２の内部に、取りはずしできないように固定的に形成してもよいし、着脱可能な形態で、ＣＲ２の背面などに、挿設してもよい。
【００３０】
アンテナ部３５は、ＴＥ１がＣＲ２に載置され、ＴＥ１とＣＲ２とが近接された場合に、ＴＥ１のアンテナ部１５と、近距離無線通信（ＮＦＣ）を行う部分である。
主として、電波を入出射することのできるコイルによって形成され、ＴＥ１のコイル１６から出射された電波の電磁誘導により通電されることにより、高周波電流を発生する。
非接触通信部３４は、近距離無線通信ＮＦＣの規格に基づいてＮＦＣ５を実現する部分であり、近接されたＴＥ１との間で、設定情報の送受信を行う。
【００３１】
記憶部３２は、設定情報３３を記憶する部分であり、ＲＯＭやフラッシュメモリなどが用いられる。
たとえば、設定情報３３として、図５のＳＤ０１に示したように、ブルートゥースの設定情報が予め記憶される。
リーダとして機能するＴＥ１がＣＲ２に載置された場合、非接触通信部３４が、設定情報３３を記憶部３２から読み出して、ＮＦＣ５により、ＴＥ１へ送信する。
設定情報３３は、ＲＯＭに固定情報として予め記憶してもよいが、書き換え可能な状態でフラッシュメモリ３２に予め記憶してもよい。
フラッシュメモリ３２を用いた場合は、無線ＬＡＮ等のネットワーク４を介した無線通信や、ＮＦＣ５を利用して、パソコン、スマートフォン等の携帯端末やその他の情報処理装置と接続して、予め設定情報３３をフラッシュメモリ３２に書き込んでおけばよい。
【００３２】
ＣＲ２の電源部３７は、商用電源ＡＣ３から供給されるＡＣ電力を受電する部分である。
ここで、受電したＡＣ電力を、ＴＥ１へ供給可能なＤＣ電力６に変換する。
送電部３８は、変換後のＤＣ電力６を、外部へ出力する部分であり、接触式給電をする場合は、送電端子３９を備える。
送電端子３９と、ＴＥ１の受電端子１８とが接触することにより、ＤＣ電力６が、ＴＥ１へ供給される。
また、非接触式給電の場合は、送電部３８は、主として、コイルおよび電子回路により構成される。
なお、ＣＲ２は、ＡＣ電力を直接受電するのではなく、たとえば、ＵＳＢ端子を備え、外部のパソコン等から、ＵＳＢ端子を介して、ＤＣ電力６を受電してもよい。
【００３３】
クレードルＣＲ２が通信機能を有する場合は、情報通信部４０を備える。
情報通信部４０は、有線あるいは無線方式により、クレードルＣＲをネットワーク４に接続し、そのネットワーク４を介して、他の情報通信端末と、データ通信を行う部分である。
たとえば、情報通信部４０は、無線ＬＡＮ４に接続し、ＴＥ１からＮＦＣ５によって送信されてきたデータを、無線ＬＡＮ４を介して、他の情報通信端末に転送する。
また、無線ＬＡＮ４を介して受信したデータを、ＮＦＣ５によって、ＴＥ１に転送する。
【００３４】
＜情報通信装置とクレードルの使用形態＞
（使用形態の実施例１）
図２に、情報通信装置とクレードルの概略外観構成と使用形態の実施例１の説明図を示す。
図２では、使用形態の説明をするために、図１に示した構成要素のうち、主要な要素のみを示している。
図２（ａ）は、情報通信装置（ＴＥ）１の前面図と側面図の概略を示している。
ここでは、ＴＥ１の構成要素のうち、非接触通信部１４と、アンテナ部１５と、受電端子１８と、充電池１９とを示している。受電端子１８は表面に露出した状態で形成されるが、その他の要素は、ＴＥ１本体の筐体の内部に配置される。
また、ＴＥ１の筐体の表面には、図示しない入力部１２や表示部１３が配置される。
【００３５】
図２（ｂ）は、クレードル（ＣＲ）２の前面図と側面図の概略を示している。
ここでは、ＣＲ２の構成要素のうち、非接触ＩＣタグ３１と、電源部３７と、送電端子３９とを示している。送電端子３９以外は、ＣＲ２本体の筐体の内部に配置される。
送電端子３９は、ＴＥ１をＣＲ２に載置したときに、受電端子１８と嵌合するように、表面に露出した状態で形成される。
【００３６】
図２（ｃ）は、ＴＥ１をＣＲ２に載置した状態を示している。
この載置状態において、送電端子３９と受電端子１８とが接触することによって、ＤＣ電力６が、充電池１９に供給される。
また、載置状態において、ＴＥ１のアンテナ部１５と、ＣＲ２の非接触ＩＣタグ３１のアンテナ部３５とが、所定の距離だけ離れた状態で対向するように近接配置される。
ここで、所定の距離とは、両方のアンテナ部（１５，３５）を形成するコイル相互間で電磁誘導により、ＮＦＣ５による通信が可能な距離であり、たとえば、３ｃｍ程度以下の距離であればよい。
【００３７】
図３に、ＮＦＣを利用した設定情報の読み出しと書き込みの概略説明図を示す。
ここでは、説明をわかりやすくするために、ＴＥ１とＣＲ２とを分離して図示しているが、実際には、図２（ｃ）で示したように、ＴＥ１をＣＲ２に載置した状態で、設定情報の読み出しと書き込みが行われる。
図３（ａ）において、ＴＥ１がリーダとしての機能を実行している場合に、非接触ＩＣタグ３１に格納されている設定情報３３を、ＮＦＣ５によって読み出す場合を示している。
ユーザが、ＴＥ１をＣＲ２に載置したとすると、受電端子１８と送電端子３９とが接触されるので、ＤＣ電力６が、ＴＥ１へ供給される。
このとき、受電端子１８にかかる電圧を監視している受電監視部２１が、ＤＣ電力６の供給があったことを確認すると、非接触通信部１４が、情報読み出しのための非接触通信（ＮＦＣ）を起動させる。
【００３８】
具体的には、アンテナ部１５のコイル１６に高周波電流を流し、コイル１６から電波を出射させる。
コイル１６から出射された電波が、近接配置された非接触ＩＣタグ３１のコイル３６に届くと、非接触ＩＣタグ３１が動作可能状態となり、ＴＥ１とＣＲ２間で、ＮＦＣ５による通信が可能となる。
その後、図６に後述するような手順で、非接触ＩＣタグ３１に記憶されていた設定情報３３が読み出され、ＴＥ１に転送される。
ＴＥ１が、設定情報３３を受信すると、その設定情報３３に基づいて、所定の通信が可能となるように通信設定が行われる。
【００３９】
図３（ｂ）において、ＴＥ１がライタとしての機能を実行している場合に、ＴＥ１の記憶部２４に記憶されている設定情報２５を、ＮＦＣ５によって、非接触ＩＣタグ３１に書き込む場合を示している。
上記図３（ａ）と同様に、ユーザが、ＴＥ１をＣＲ２に載置することによって、受電監視部２１が、ＤＣ電力６が供給されたことを確認した場合に、非接触通信部１４によって、情報の書き込みのためのＮＦＣによる通信が可能な状態にされる。
すなわち、ＴＥ１のコイル１６から電波が出射されることによって、近接配置された非接触ＩＣタグ３１が動作可能状態となった後、ＴＥ１とＣＲ２間で、ＮＦＣ５による通信が行われ、記憶部２４から読み出された設定情報２５が、ＣＲ２へ転送され、非接触ＩＣタグ３１の記憶部３２に記憶される。
【００４０】
このように、設定情報の読み出しおよび書き込みのいずれの場合も、ＴＥ１がＣＲ２に載置されて、ＤＣ電力６が、ＣＲ２からＴＥ１へ供給されたことを確認した後に、ＮＦＣ５を開始させる。
ＮＦＣ５が開始されると、予めプログラムされた所定の手順に基づいて、設定情報の送受信を行うことにより、設定情報の読み出し、あるいは書き込みが自動的に行われる。
これによれば、ユーザは、ＴＥ１をＣＲ２に載置させるという操作をするだけで、ＴＥ１とＣＲ２間で、設定情報の送受信が行われるので、設定情報を入力するなどの手間と時間を省くことができ、ユーザの入力操作負担を軽減することができる。
また、ＮＦＣ５を利用した通信は、ＤＣ電力６の供給開始後に行われるので、常時ＮＦＣによる通信が可能な状態としておく必要はなく、たとえば、ＤＣ電力６の供給がない場合は、ＮＦＣ５に関与するハードウェアに電流を流す必要はなく、ＴＥ１の低消費電力化を図ることができる。
【００４１】
（使用形態の実施例２）
図４に、この発明の情報通信装置ＴＥにＤＣ電源を供給する構成の他の使用形態（実施例２）の説明図を示す。
ここでは、クレードル（充電台）２を使用せずに、ＡＣアダプタ５０を用いて、商用電源３から受電したＡＣ電力をＡＣ／ＤＣ変換し、ＤＣ電力６を生成してＴＥ１に供給し、充電池１９の充電を行わせる。
ＴＥ１には、ＡＣアダプタの電力供給線を接続することのできるＤＣ電力入力端子を備えておく。
この場合、ユーザは、ＡＣアダプタの電力供給線を、図示しないＤＣ電力入力端子に接続させる操作をすればよい。図３に示したのと同様に、ＤＣ電力６がＴＥ１に供給されたことが確認された後に、ＮＦＣ５による通信を起動させる。
また、この実施例の場合は、クレードル２に備えていたのと同じ構成を持つ非接触ＩＣタグ３１を内蔵したＩＣカード５１を利用する。
【００４２】
ユーザは、ＡＣアダプタ５０をＴＥ１に接続した後、ＩＣカード５１を、ＴＥ１に接近させる操作をする。
上記したように、商用電源３に接続したＡＣアダプタ５０がＴＥ１に接続されると、ＤＣ電力６がＴＥ１に供給されたことが確認され、ＴＥ１はすでにＮＦＣ５による通信が可能な状態となっている。この状態で、ユーザが、ＩＣカード５１を、ＮＦＣ５による通信が成立する程度までＴＥ１に近づけた場合、ＴＥ１のコイル１６と、ＩＣカード５１に内蔵された非接触ＩＣタグ３１のコイル３６との間で、電波の誘導が行われ、設定情報の送受信が行われる。
この実施例２の場合も、ユーザは、ＡＣアダプタ５０の接続操作と、ＩＣカード５１をＴＥ１へ接近させる操作をするだけで、容易かつ迅速に、設定情報の読み出しあるいは書込みが可能となり、ユーザの入力操作負担を軽減できる。
【００４３】
＜設定情報の読出処理＞
ここでは、ＴＥ１が、非接触ＩＣタグ３１に予め記憶された設定情報３３を読み出す処理の一実施例について説明する。
（読出処理の第１実施例）
図６に、この発明の情報通信装置ＴＥにおける設定情報の読出処理の第１実施例のフローチャートを示す。
図６のステップＳ１において、受電監視部２２が、受電部１７の状態を監視し、ＤＣ電力６の供給の有無をチェックする。
たとえば、接触式給電の場合は、受電端子１８に印加された電圧が、所定値以上であるか否かをチェックする。
非接触式給電の場合は、図示しないコイルに誘導電力が発生し、所定値以上の誘導電流が流れるか否かをチェックする。
上記したように、ユーザが、ＴＥ１をＣＲ２に載置することによって、受電端子１８と送電端子３９とが接触することにより、ＣＲ２の送電部３８から、ＴＥ１の受電部１７に、ＤＣ電力６が供給される。
【００４４】
ステップＳ２において、受電状態をチェックした結果、ＤＣ電力６が供給されていると判断した場合はステップＳ３へ進み、そうでない場合はステップＳ１をループする。
ステップＳ３において、受電監視部２１は、受電状態になったことを、制御部１１に通知する。
ステップＳ４において、制御部１１は、非接触通信部１４に対して、情報の読み出しを行うための非接触通信（ＮＦＣ５）を起動するように、指示を出す。
非接触通信部１４は、この指示を受けて、ＮＦＣ５による通信を開始するために、コイル１６に高周波電流を流し、コイル１６から電波を出力させる。
ステップＳ５において、非接触通信部１４は、ＮＦＣ５によって、非接触ＩＣタグ３１を検出するための検出コマンドを送信する。
【００４５】
ＴＥ１のアンテナ部１５と、ＣＲ２のアンテナ部３５とが、図２（ｃ）に示したように、非接触状態で対向配置されていたとすると、ＴＥ１のコイル１６から出力された電波は、ＣＲ２のコイル３６により受信される。
このコイル３６が受信した電波によって、起電力が発生し、非接触ＩＣタグ３１の電子回路に電流が流れ、ＣＲ２の非接触通信部３４が動作可能状態となる。
すなわち、非接触通信部３４によって、ＮＦＣ５による通信や、記憶部３２に記憶された設定情報３３の読み出しが可能となる。
したがって、ＣＲ２の非接触通信部３４が、動作可能状態となった後、上記の検出コマンドを受信したことを確認した場合、その検出コマンドに対する応答レスポンスを、ＮＦＣ５によって、ＴＥ１へ送信する。
【００４６】
ステップＳ６において、非接触通信部１４は、応答レスポンスが受信されたか否かをチェックする。
応答レスポンスを受信した場合は、ステップＳ７へ進み、そうでない場合は、ステップＳ５へ戻り、検出コマンドを再度送信する。
図示していないが、検出コマンドを所定回数以上送信しても応答コマンドを受信しなかった場合、あるいは最初に検出コマンドを送信した後所定時間が経過しても応答コマンドを受信しなかった場合は、ＮＦＣ５による通信ができなかったことなどを表示部１３に表示して、ステップＳ１へ戻るか、あるいは読出処理を終了してもよい。
【００４７】
ＣＲ２に、複数の非接触ＩＣタグ３１が形成されている場合、受信した応答レスポンスに含まれる情報から、どの非接触ＩＣタグから応答レスポンスが送信されたかを認識する。
ただし、複数の応答レスポンスを受信した場合は、たとえば、最初に受信した応答レスポンスを送信してきた非接触ＩＣタグ３１を、以後の通信を行う対象として選択してもよい。
あるいは、応答レスポンスを送信してきた非接触ＩＣタグ３１が複数ある場合は、ランダムに、任意の非接触ＩＣタグ３１を通信対象として選択してもよい。
【００４８】
ステップＳ７において、非接触通信部１４が、応答レスポンスを送信してきた非接触ＩＣタグ、あるいは、選択された非接触ＩＣタグに対して、ＮＦＣ５によって、設定情報読出コマンドを送信する。
この設定情報読出コマンドを受信した非接触ＩＣタグ３１は、自己の記憶部３２に記憶されていた設定情報３３を読み出し、読み出した設定情報３３を含む読出応答レスポンスを、ＮＦＣ５によって送信する。
【００４９】
ステップＳ８において、非接触通信部１４は、読出応答レスポンスを受信したか否かをチェックする。
受信した場合はステップＳ９へ進み、そうでない場合は、ステップＳ７へ戻り、再度、読出コマンドを送信する。
ステップＳ９において、非接触通信（ＮＦＣ）を停止させる。
これにより、ＴＥ１のコイル１６から出力されていた電波が出力されなくなり、ＮＦＣ５が終了する。この処理によって、消費電力を抑制することができる。
ステップＳ１０において、設定情報受信部２２が、受信した読出応答レスポンスの内容を確認し、設定情報が受信されたか否かをチェックする。
設定情報が受信された場合はステップＳ１１へ進み、そうでない場合は一連の処理を終了する。
【００５０】
ステップＳ１１において、設定情報受信部２２が、受信した設定情報を、記憶部２４に記憶する。
また、制御部１１は、記憶された設定情報を利用して、通信機能を設定し、ＴＥ１を、設定情報によって特定される通信が可能な状態にする。
たとえば、図５の設定情報ＳＤ０１を受信した場合は、ＴＥ１とヘッドセットとの間で、ブルートゥースによる無線通信が可能な状態に設定する。
【００５１】
なお、通信機能を設定した後、その設定によって通信が実際にできるか否かをテストしてもよい。
たとえば、無線ＬＡＮ通信の場合、エコーリクエストパケット（ＰＩＮＧ）を送信して、その応答としてエコーリプライパケットを受信することにより、その通信が可能か否かを確認することができる。
テストの結果、通信ができなかった場合は、通信設定ができなかったことを、表示あるいは音声で、ユーザに報知してもよい。
【００５２】
また、設定情報が受信されなかった場合、あるいは設定情報を受信したが通信機能のテストが不良であった場合は、再度、ステップＳ１へ戻り、同様の処理を繰り返してもよい。
さらに、ＣＲ２に、複数の非接触ＩＣタグが備えられている場合において、複数の非接触ＩＣタグから、設定情報を取得する必要がある場合には、非接触ＩＣタグごとに、上記読出処理を繰り返し行い、それぞれの設定情報に対応した通信設定を行えばよい。
以上の読出処理を実行することにより、ユーザがＴＥ１をＣＲ２に載置する操作をした後は、自動的に通信設定が行われるので、通信設定にかかわるユーザの入力操作負担を軽減できる。
また、ＴＥ１をＣＲ２に載置して、ＴＥ１がＤＣ電力６を受信した後に、非接触通信（ＮＦＣ）を開始し、非接触ＩＣタグ３１から設定情報３３を読み出した後に、非接触通信（ＮＦＣ）を停止させるので、非接触通信（ＮＦＣ）にかかる消費電力を抑制することができる。
【００５３】
（読出処理の第２実施例）
図７に、この発明の情報通信装置ＴＥにおける設定情報の読出処理の第２実施例のフローチャートを示す。
ここでは、設定情報読出コマンドを再送信しても、読出応答レスポンスの受信がなかった場合に、設定情報の通信に異常が発生したことをユーザに報知して、読出処理を終了する場合のフローを示している。
図７のフローチャートにおいて、図６に示したステップと同じ処理をするステップには、同じ符号を付与している。
図７において、ステップＳ１からステップＳ８までの処理は、図６と同じである。ただし、ステップＳ７において、設定情報読出コマンドの送信回数をカウントしておく。
ステップＳ８において、読出応答レスポンスが受信されなかった場合、ステップＳ２１へ進み、受信された場合はステップＳ９へ進む。
【００５４】
ステップＳ２１において、読出コマンドを送信した回数が予め設定されていた規定回数を超えたか否かをチェックする。
送信回数が規定回数以下の場合は、ステップＳ７へ戻り、読出コマンドを再送する。
一方、送信回数が規定回数を超えた場合は、ステップＳ９へ進む。
ステップＳ９およびＳ１０は、図６と同一の処理であり、ステップＳ１０において、設定情報が受信されなかった場合は、ステップＳ２２へ進む。
ステップＳ２２において、ＮＦＣ５による設定情報の受信ができなかったので、非接触通信（ＮＦＣ）が異常であり、通信設定ができなかったことを、ユーザに報知する。
この報知は、たとえば、表示部１３へのメッセージ表示や、警報音の出力、ＬＥＤの点滅表示などで行えばよい。
【００５５】
＜設定情報の書込処理＞
ここでは、ＴＥ１が、記憶部２４に予め記憶されている設定情報２５を、非接触ＩＣタグ３１に書き込む処理の一実施例について説明する。
図８に、この発明の情報通信装置ＴＥにおける設定情報の書込処理の一実施例のフローチャートを示す。
図８のフローチャートは、主として、図７の読出しに関するステップを、書込みに関するステップに置きかえることによって実現される。
また、図７のフローチャートのステップと同様の処理をするステップには、同じ符号を付与している。
まず、ステップＳ１からＳ６までの処理は、図７と同様の処理を行うが、ステップＳ３１における非接触通信（ＮＦＣ）を起動させる処理では、ステップＳ４と異なり、情報を非接触ＩＣタグに書き込むことが可能となるように、非接触通信部１４に対して指示を出す。
【００５６】
ステップＳ６において、応答レスポンスを受信したことを確認した場合、ステップＳ３２へ進み、ＮＦＣ５によって、設定情報書込コマンドを送信する。
ここで、設定情報送信部２３が、記憶部２４に予め記憶されていた設定情報２５を読み出し、その設定情報２５を、設定情報書込コマンドの中に含めて、その設定情報書込コマンドを送信する。このとき、書込コマンドを送信した回数をカウントしておく。
ＣＲ２の非接触通信部３４は、設定情報書込コマンドを受信すると、そのコマンドに含まれる設定情報を取得して、記憶部３２に記憶させる。その後、書き込みが成功したことを示す応答レスポンス（書込応答レスポンス）を、ＮＦＣ５によって送信する。
ステップＳ３３において、非接触通信部１４が、書込応答レスポンスを受信したか否かをチェックする。
受信した場合はステップＳ９へ進み、そうでない場合はステップＳ３４へ進む。
【００５７】
ステップＳ３４において、書込コマンドの送信回数が、規定回数を超えたか否かを判断する。
送信回数が規定回数以下の場合は、ステップＳ３２へ戻り、設定書込応答コマンドを再送する。一方、送信回数が規定回数を超えた場合は、ステップＳ９へ進む。
ステップＳ９において、非接触通信（ＮＦＣ）を停止させた後、ステップＳ３５において、書込応答レスポンスを調べて、情報の書込結果を示すデータが受信されたか否かをチェックする。
情報書込結果が受信された場合はステップＳ３６へ進み、そうでない場合はステップＳ３７へ進む。
ステップＳ３６において、情報書込結果が、成功であるか否かをチェックする。成功でなかった場合はステップＳ３７へ進み、成功であった場合は処理を終了する。
ステップＳ３７において、非接触通信（ＮＦＣ）が異常であること、あるいは、設定情報を非接触ＩＣタグに書き込むことができなかったことを、ユーザに報知する。
この報知も、表示や音声を用いて行えばよい。
【００５８】
＜設定情報の設定後の情報通信の実施形態＞
以下に、ＴＥ１において設定情報が非接触ＩＣタグ３１から読み出され、その設定情報に基づいて、通信設定が行われた後に、実行される情報通信のいくつかの具体的実施形態について説明する。
（情報通信の実施例１）
図９において、ヘッドセットの設定情報の非接触通信（ＮＦＣ）を行った場合の実施形態の概略説明図を示す。
図９（ａ）は、クレードルＣＲ２の非接触ＩＣタグ３１に予め記憶されていたヘッドセットＨＳの設定情報（ＳＤ０１）を、ＮＦＣ５によって非接触ＩＣタグ３１から読み出して、情報通信装置ＴＥ１に記憶することを示している。
図９（ｂ）は、その後、記憶された設定情報（ＳＤ０１）に基づいて、ヘッドセットＨＳ７１との間で、ブルートゥース７０による無線通信が行われることを示している。
この場合、ＴＥ１とＨＳ７１のどちらにも、所定のブルートゥースの規格に基づいた通信を行うブルートゥース通信部７２を備えておく。
ここで、ＴＥ１には、すでに、ヘッドセットＨＳ７１に対応した設定情報（ＳＤ０１）が記憶されているので、ユーザがキー入力等を用いた設定入力操作をすることなく、ヘッドセットＨＳ７１とＴＥ１とを、所定の距離内に接近させるだけで、ブルートゥースによる無線通信が可能となる。
【００５９】
（情報通信の実施例２）
図１０において、無線ＬＡＮの設定情報の非接触通信（ＮＦＣ）を行った場合の実施形態の概略説明図を示す。
図１０（ａ）において、ＣＲ２の非接触ＩＣタグ３１に予め記憶されていた無線ＬＡＮの設定情報（ＳＤ０２）を、ＮＦＣ５によって非接触ＩＣタグ３１から読み出して、ＴＥ１に記憶することを示している。
図１０（ｂ）は、その後、記憶された設定情報（ＳＤ０２）に基づいて、ネットワーク４に対して、無線ＬＡＮ４２による通信を行う無線通信部４１によって、無線通信が行われることを示している。無線通信部４１は、ＴＥ１に備えてもよいが、ＴＥ１にない場合は、ＣＲ２に設けられた情報通信部４０を介して無線通信を行なってもよい。
【００６０】
（情報通信の実施例３）
図１１において、携帯プリンタ７５の設定情報の非接触通信（ＮＦＣ）を行った場合の実施形態の概略説明図を示す。
この場合も、ＴＥ１と携帯プリンタ７５のどちらも、ブルートゥースによる通信を行うブルートゥース通信部７２を備えておく。
図１１（ａ）において、ＣＲ２の非接触ＩＣタグ３１に予め記憶されていた携帯プリンタ７５の設定情報（ＳＤ０５）を、ＮＦＣ５によって非接触ＩＣタグ３１から読み出して、ＴＥ１に記憶することを示している。
図１１（ｂ）は、その後、記憶された設定情報（ＳＤ０５）に基づいて、所定の距離以内に接近されたＴＥ１と携帯プリンタ７５のブルートゥース通信部７２との間で、ブルートゥース７０による無線通信が行われることを示している。
【００６１】
（情報通信の実施例４）
図１２において、複数個のヘッドセットの設定情報が、１つの非接触ＩＣタグ３１に記憶されている場合の実施形態の概略説明図を示す。
図１２（ａ）において、ＣＲ２の非接触ＩＣタグ３１に、ｎ個のヘッドセット（ＨＳ０１，…ＨＳ０ｎ）の設定情報ＳＤxxが、予め記憶されていたとする。
ＴＥ１をＣＲ２に載置した場合、ＣＲ２からＤＣ電力が受電されたことが検出されると、ＮＦＣ５によって、非接触ＩＣタグ３１に記憶されていた設定情報ＳＤxxが読み出され、ＴＥ１に記憶される。
ここで、１つの非接触ＩＣタグ３１の記憶部３２の中に、上記複数個の設定情報をすべて記憶してもよいが、ＣＲ２に、複数個の非接触ＩＣタグ３１を形成し、各非接触ＩＣタグ３１に、別々に異なる設定情報を１つずつ予め記憶しておいてもよい。
【００６２】
図１２（ｂ）において、ＴＥ１にｎ個のヘッドセットの設定情報ＳＤxxが記憶された後、ＴＥ１のブルートゥース通信部７２と、各ヘッドセット（ＨＳ０１，…ＨＳ０ｎ）７１のブルートゥース通信部７２との間で、各設定情報ＳＤxxに基づいて、ブルートゥースによる無線通信が行われる。
ただし、ｎ個のヘッドセットとＴＥ１との間で、同時に無線通信が行われるのではなく、ｎ個のヘッドセットのうち選択された１つのヘッドセットとＴＥ１との間でのみ、無線通信が行われる。
【００６３】
この他にも、種々の実施形態が考えられる。
たとえば、携帯電話網を使用した通信を行う形態が考えられる。
【符号の説明】
【００６４】
１  情報通信装置ＴＥ
２  クレードルＣＲ（充電台）
３  商用電源（ＡＣ）
４  ネットワーク
５  近距離無線通信（ＮＦＣ）
６  ＤＣ電力
１１  制御部
１２  入力部
１３  表示部
１４  非接触通信部
１５  アンテナ部
１６  コイル
１７  受電部
１８  受電端子
１９  充電池
２１  受電監視部
２２  設定情報受信部
２３  設定情報送信部
２４  記憶部
２５  設定情報
３１  非接触ＩＣタグ
３２  記憶部
３３  設定情報
３４  非接触通信部
３５  アンテナ部
３６  コイル
３７  電源部
３８  送電部
３９  送電端子
４０  情報通信部
４１  無線通信部
４２  無線ＬＡＮ
７０  ブルートゥース
７１  ヘッドセット
７２  ブルートゥース通信部
７５  携帯プリンタ
【図１】
2016059162.tif 000003
【図２】
2016059162.tif 000004
【図３】
2016059162.tif 000005
【図４】
2016059162.tif 000006
【図５】
2016059162.tif 000007
【図６】
2016059162.tif 000008
【図７】
2016059162.tif 000009
【図８】
2016059162.tif 000010
【図９】
2016059162.tif 000011
【図１０】
2016059162.tif 000012
【図１１】
2016059162.tif 000013
【図１２】
2016059162.tif 000014